(57)【要約】      （修正有）【課題】調節可能なメガネを開示する。【解決手段】メガネフレーム１１を含み、メガネフレームの中にはレンズ１２が左右対称に固定的に設置され、メガネフレームの中間には制御装置１０１が設置され、メガネフレームの左右両側には幅調節装置１０２が対称的に設置され、幅調節装置のうち対称中心から離れた側には長さ調節装置１０３が設置され、制御装置によって幅調節装置又は長さ調節装置を制御でき、幅調節装置によってテンプルの間の距離を調節して様々な顔型に対応でき、長さ調節装置によってテンプルの長さを調節して掛ける快適度を上げられ、制御装置はメガネフレームの中に設置された上方に開口した昇降チャンバを含み、昇降チャンバの中には昇降ブロックがスライド可能に設置される。【選択図】図１
2020173412.tif 000002
【特許請求の範囲】
【請求項１】
メガネフレームを含み、前記メガネフレームの中にはレンズが左右対称に固定的に設置され、前記メガネフレームの中間には制御装置が設置され、前記メガネフレームの左右両側には幅調節装置が対称的に設置され、前記幅調節装置のうち対称中心から離れた側には長さ調節装置が設置され、前記制御装置によって前記幅調節装置又は前記長さ調節装置を制御でき、前記幅調節装置によってテンプルの間の距離を調節して様々な顔型に対応でき、前記長さ調節装置によって前記テンプルの長さを調節して掛ける快適度を上げられ、前記制御装置は前記メガネフレームの中に設置された上方に開口した昇降チャンバを含み、前記昇降チャンバの中には昇降ブロックがスライド可能に設置され、前記昇降ブロックの下端と前記昇降チャンバの下壁との間には復帰ばねが固定的に連結され、前記昇降ブロックの中には回転軸が上下貫通に回転可能に設置され、前記回転軸の上端が外部に伸びて制御ブロックと固定的に連結され、前記制御チャンバの下側には第一調節チャンバが設置され、前記第一調節チャンバの中にはネジ山ロッドが回転可能に設置され、前記第一調節チャンバの中には前記ねじ山ロッドにねじ山により連結されたねじ山ブロックがスライド可能に設置され、前記ねじ山ロッドの中には前記回転軸の下端とスプラインにより連結されたスプライン穴が上下貫通に設置され、前記第一調節チャンバの下側には引き動かしチャンバが設置され、前記回転軸の下端には前記スプライン穴を通り抜けて前記引き動かしチャンバの中に伸びた連結ロッドが固定的に連結され、前記連結ロッドの下端には前記引き動かしチャンバの内壁にスライド可能に連結された引き動かしブロックが回転可能に連結され、前記引き動かしブロックの上端と前記引き動かしチャンバの上壁とには圧縮バネが固定的に連結され、前記引き動かしブロックの下端には引き線が左右対称に固定的に連結され、前記引き動かしチャンバの下壁には第一線通し穴が左右対称に連通するように設置され、前記制御ブロックを下に押して回すことで前記幅調節装置を調節でき、前記制御ブロックを上に引くことで前記長さ調節装置を調節できることを特徴とする調節可能なメガネ。
【請求項２】
前記幅調節装置は前記第一調節チャンバの左右両側に対称的に連通するように設置された伝動チャンバを含み、前記ねじ山ブロックの左右両端にはそれぞれヒンジロッドがヒンジで連結され、両側の前記ヒンジロッドのうち対称中心から離れた一端には前記伝動チャンバの下壁とスライド可能に連結された押し引きブロックがヒンジで連結され、前記押し引きブロックのうち対称中心から離れた一端には押し引きロッドが固定的に連結され、両側の前記押し引きロッドのうち対称中心から離れた端はそれぞれ前記メガネフレームの左右両側から伸び出て固定板と固定的に連結され、且つ前記押し引きロッドと前記メガネフレームとはスライド可能に連結され、前記メガネフレームの左右端面の下端には後合わせに開口した伸縮チャンバが設置され、前記第一線通し穴の一端は前記伸縮チャンバに連通しており、前記伸縮チャンバの中には前記固定板に固定的に連結された伸縮ロッドがスライド可能に設置され、前記伸縮ロッドと前記固定板との中には第二線通し穴が連通するように設置され、前記固定板の間の距離を調節することで前記テンプルの間の距離を調節できることを特徴とする請求項１に記載の調節可能なメガネ。
【請求項３】
前記長さ調節装置は前記固定板のうち中心から離れた一端に固定的に設置された固定ブロックを含み、前記固定ブロックの中には第二調節チャンバが前後貫通に設置され、前記第二調節チャンバの中には調節ロッドがスライド可能に設置され、前記テンプルが前記調節ロッドの後端に回転可能に連結され、前記調節ロッドの前端には位置制限ブロックが固定的に連結され、前記調節ロッドのうち中心に近接した側の内壁の中には引掛り溝が設置され、前記第二調節チャンバのうち中心に近接した側には引掛りブロックチャンバが連通するように設置され、前記引掛りブロックチャンバの中には引掛りブロックがスライド可能に設置され、前記引掛りブロックのうち中心に近接した一端と、前記引掛りブロックチャンバの内壁との間には耐圧ばねが固定的に連結され、前記第二線通し穴の上端が前記引掛りブロックチャンバに連通しており、前記引き線が前記引掛りブロックのうち中心に近接した一端に固定的に連結され、前記引掛りブロックが異なった場所の前記引掛り溝の中に引っ掛ることで前記調節ロッドの後端の伸びた長さを調節して固定することができることを特徴とする請求項１に記載の調節可能なメガネ。
【発明の詳細な説明】
【技術分野】
【０００１】
本発明はメガネ技術分野に関し、具体的には調節可能なメガネである。
【背景技術】
【０００２】
人々は近眼になると眼鏡屋にメガネを作ってもらうのであり、しかし、フレームを選ぶ時、サイズや掛け心地等により好む様式を諦めざるを得なく、顧客体験に悪影響を与えてしまい、また、顔型の大きい人にとって初めてメガネを掛ける時、テンプルが顔に食い込んで痛かったり、テンプルが長すぎ又は短すぎるとメガネの固定効果が悪く、落ちやすかったりすることがよくあり、そのため、調節可能なメガネは実に必要であり、本装置はメガネの幅と長さとを調節でき、掛心地を改善する。
【先行技術文献】
【特許文献】
【０００３】
【特許文献１】中国特許出願公開第１０７０３７６０３号明細書
【発明の概要】
【発明が解決しようとする課題】
【０００４】
本発明の目的は調節可能なメガネを提供し、既存の技術にある上記の欠陥を補うことにある。
【課題を解決するための手段】
【０００５】
本発明の調節可能なメガネは、メガネフレームを含み、前記メガネフレームの中にはレンズが左右対称に固定的に設置され、前記メガネフレームの中間には制御装置が設置され、前記メガネフレームの左右両側には幅調節装置が対称的に設置され、前記幅調節装置のうち対称中心から離れた側には長さ調節装置が設置され、前記制御装置によって前記幅調節装置又は前記長さ調節装置を制御でき、前記幅調節装置によってテンプルの間の距離を調節して様々な顔型に対応でき、前記長さ調節装置によって前記テンプルの長さを調節して掛ける快適度を上げられ、前記制御装置は前記メガネフレームの中に設置された上方に開口した昇降チャンバを含み、前記昇降チャンバの中には昇降ブロックがスライド可能に設置され、前記昇降ブロックの下端と前記昇降チャンバの下壁との間には復帰ばねが固定的に連結され、前記昇降ブロックの中には回転軸が上下貫通に回転可能に設置され、前記回転軸の上端が外部に伸びて制御ブロックと固定的に連結され、前記制御チャンバの下側には第一調節チャンバが設置され、前記第一調節チャンバの中にはネジ山ロッドが回転可能に設置され、前記第一調節チャンバの中には前記ねじ山ロッドにねじ山により連結されたねじ山ブロックがスライド可能に設置され、前記ねじ山ロッドの中には前記回転軸の下端とスプラインにより連結されたスプライン穴が上下貫通に設置され、前記第一調節チャンバの下側には引き動かしチャンバが設置され、前記回転軸の下端には前記スプライン穴を通り抜けて前記引き動かしチャンバの中に伸びた連結ロッドが固定的に連結され、前記連結ロッドの下端には前記引き動かしチャンバの内壁にスライド可能に連結された引き動かしブロックが回転可能に連結され、前記引き動かしブロックの上端と前記引き動かしチャンバの上壁とには圧縮バネが固定的に連結され、前記引き動かしブロックの下端には引き線が左右対称に固定的に連結され、前記引き動かしチャンバの下壁には第一線通し穴が左右対称に連通するように設置され、前記制御ブロックを下に押して回すことで前記幅調節装置を調節でき、前記制御ブロックを上に引くことで前記長さ調節装置を調節できる。
【０００６】
更の技術プランとして、前記幅調節装置は前記第一調節チャンバの左右両側に対称的に連通するように設置された伝動チャンバを含み、前記ねじ山ブロックの左右両端にはそれぞれヒンジロッドがヒンジで連結され、両側の前記ヒンジロッドのうち対称中心から離れた一端には前記伝動チャンバの下壁とスライド可能に連結された押し引きブロックがヒンジで連結され、前記押し引きブロックのうち対称中心から離れた一端には押し引きロッドが固定的に連結され、両側の前記押し引きロッドのうち対称中心から離れた端はそれぞれ前記メガネフレームの左右両側から伸び出て固定板と固定的に連結され、且つ前記押し引きロッドと前記メガネフレームとはスライド可能に連結され、前記メガネフレームの左右端面の下端には後合わせに開口した伸縮チャンバが設置され、前記第一線通し穴の一端は前記伸縮チャンバに連通しており、前記伸縮チャンバの中には前記固定板に固定的に連結された伸縮ロッドがスライド可能に設置され、前記伸縮ロッドと前記固定板との中には第二線通し穴が連通するように設置され、前記固定板の間の距離を調節することで前記テンプルの間の距離を調節できる。
【０００７】
優先的には、前記長さ調節装置は前記固定板のうち中心から離れた一端に固定的に設置された固定ブロックを含み、前記固定ブロックの中には第二調節チャンバが前後貫通に設置され、前記第二調節チャンバの中には調節ロッドがスライド可能に設置され、前記テンプルが前記調節ロッドの後端に回転可能に連結され、前記調節ロッドの前端には位置制限ブロックが固定的に連結され、前記調節ロッドのうち中心に近接した側の内壁の中には引掛り溝が設置され、前記第二調節チャンバのうち中心に近接した側には引掛りブロックチャンバが連通するように設置され、前記引掛りブロックチャンバの中には引掛りブロックがスライド可能に設置され、前記引掛りブロックのうち中心に近接した一端と、前記引掛りブロックチャンバの内壁との間には耐圧ばねが固定的に連結され、前記第二線通し穴の上端が前記引掛りブロックチャンバに連通しており、前記引き線が前記引掛りブロックのうち中心に近接した一端に固定的に連結され、前記引掛りブロックが異なった場所の前記引掛り溝の中に引っ掛ることで前記調節ロッドの後端の伸びた長さを調節して固定することができる。
【発明の効果】
【０００８】
本発明の有益効果は：本発明は構造が簡単で、操作が便利で、本装置によってメガネの幅とテンプルの長さを調節して異なった顔型に対応でき、使用者に使用初期でも良いかけ心地を与える。
【図面の簡単な説明】
【０００９】
【図１】図１は本発明の調節可能なメガネの内部全体構造略図
【図２】図２は図１におけるＡの拡大略図
【図３】図３は図１におけるＢの拡大略図
【図４】図４は図１におけるＣの拡大略図
【図５】図５は図４におけるＤ―Ｄ方向の構造略図
【発明を実施するための形態】
【００１０】
下記に図１〜５をあわせて本発明について詳しく説明し、便利に説明するために、下記の方向を以下のように規定する：以下に述べる上下左右前後の方向と図１の自身投影関係の上下左右前後の方向とが一致である。
【００１１】
図１〜５を参照し、本発明の実施例における調節可能なメガネは、メガネフレーム１１を含み、前記メガネフレーム１１の中にはレンズ１２が左右対称に固定的に設置され、前記メガネフレーム１１の中間には制御装置１０１が設置され、前記メガネフレーム１１の左右両側には幅調節装置１０２が対称的に設置され、前記幅調節装置１０２のうち対称中心から離れた側には長さ調節装置１０３が設置され、前記制御装置１０１によって前記幅調節装置１０２又は前記長さ調節装置１０３を制御でき、前記幅調節装置１０２によってテンプル１３の間の距離を調節して様々な顔型に対応でき、前記長さ調節装置１０３によって前記テンプル１３の長さを調節して掛ける快適度を上げられ、前記制御装置１０１は前記メガネフレーム１１の中に設置された上方に開口した昇降チャンバ１４を含み、前記昇降チャンバ１４の中には昇降ブロック１５がスライド可能に設置され、前記昇降ブロック１５の下端と前記昇降チャンバ１４の下壁との間には復帰ばね１６が固定的に連結され、前記昇降ブロック１５の中には回転軸１７が上下貫通に回転可能に設置され、前記回転軸１７の上端が外部に伸びて制御ブロック１８と固定的に連結され、前記制御チャンバ１４の下側には第一調節チャンバ１９が設置され、前記第一調節チャンバ１９の中にはネジ山ロッド２０が回転可能に設置され、前記第一調節チャンバ１９の中には前記ねじ山ロッド２０にねじ山により連結されたねじ山ブロック２１がスライド可能に設置され、前記ねじ山ロッド２０の中には前記回転軸１７の下端とスプラインにより連結されたスプライン穴２２が上下貫通に設置され、前記第一調節チャンバ１９の下側には引き動かしチャンバ２３が設置され、前記回転軸１７の下端には前記スプライン穴２２を通り抜けて前記引き動かしチャンバ２３の中に伸びた連結ロッド２４が固定的に連結され、前記連結ロッド２４の下端には前記引き動かしチャンバ２３の内壁にスライド可能に連結された引き動かしブロック２５が回転可能に連結され、前記引き動かしブロック２５の上端と前記引き動かしチャンバ２３の上壁とには圧縮バネ５０が固定的に連結され、前記引き動かしブロック２５の下端には引き線２６が左右対称に固定的に連結され、前記引き動かしチャンバ２３の下壁には第一線通し穴２７が左右対称に連通するように設置され、
前記制御ブロック１８を下に押して回すことで前記幅調節装置１０２を調節でき、前記制御ブロック１８を上に引くことで前記長さ調節装置１０３を調節できる。
【００１２】
有益的には、前記幅調節装置１０２は前記第一調節チャンバ１９の左右両側に対称的に連通するように設置された伝動チャンバ２８を含み、前記ねじ山ブロック２１の左右両端にはそれぞれヒンジロッド２９がヒンジで連結され、両側の前記ヒンジロッド２９のうち対称中心から離れた一端には前記伝動チャンバ２８の下壁とスライド可能に連結された押し引きブロック３０がヒンジで連結され、前記押し引きブロック３０のうち対称中心から離れた一端には押し引きロッド３１が固定的に連結され、両側の前記押し引きロッド３１のうち対称中心から離れた端はそれぞれ前記メガネフレーム１１の左右両側から伸び出て固定板３２と固定的に連結され、且つ前記押し引きロッド３１と前記メガネフレーム１１とはスライド可能に連結され、前記メガネフレーム１１の左右端面の下端には後合わせに開口した伸縮チャンバ３３が設置され、前記第一線通し穴２７の一端は前記伸縮チャンバ３３に連通しており、前記伸縮チャンバ３３の中には前記固定板３２に固定的に連結された伸縮ロッド３４がスライド可能に設置され、前記伸縮ロッド３４と前記固定板３２との中には第二線通し穴３５が連通するように設置され、前記固定板３２の間の距離を調節することで前記テンプル１３の間の距離を調節できる。
【００１３】
有益的には、前記長さ調節装置１０３は前記固定板３２のうち中心から離れた一端に固定的に設置された固定ブロック３６を含み、前記固定ブロック３６の中には第二調節チャンバ３７が前後貫通に設置され、前記第二調節チャンバ３７の中には調節ロッド３８がスライド可能に設置され、前記テンプル１３が前記調節ロッド３８の後端に回転可能に連結され、前記調節ロッド３８の前端には位置制限ブロック３９が固定的に連結され、前記調節ロッド３８のうち中心に近接した側の内壁の中には引掛り溝４０が設置され、前記第二調節チャンバ３７のうち中心に近接した側には引掛りブロックチャンバ４１が連通するように設置され、前記引掛りブロックチャンバ４１の中には引掛りブロック４２がスライド可能に設置され、前記引掛りブロック４２のうち中心に近接した一端と、前記引掛りブロックチャンバ４１の内壁との間には耐圧ばね４３が固定的に連結され、前記第二線通し穴３５の上端が前記引掛りブロックチャンバ４１に連通しており、前記引き線２６が前記引掛りブロック４２のうち中心に近接した一端に固定的に連結され、前記引掛りブロック４２が異なった場所の前記引掛り溝４０の中に引っ掛ることで前記調節ロッド３８の後端の伸びた長さを調節して固定することができる。
【００１４】
初期状態の時、昇降ブロック１５が中間位置に位置しており、ねじ山ブロック２１が上の極限位置に位置しており、引き線２６が緩んだ状態にある。
【００１５】
幅を調節する時、制御ブロック１８を下に押して回転軸１７とねじ山ロッド２０とをスプラインにより連結させ、制御ブロック１８を回して回転軸１７によってねじ山ロッド２０を回転連動させ、ねじ山による連結によってねじ山ブロック２１を下降連動させ、ヒンジロッド２９によって押し引きブロック３０を中心から離れた方向に移動連動させ、押し引きロッド３１によって固定板３２を連動させて両側に離れて開かせ、更に固定ブロック３６と、調節ロッド３８と、テンプル１３とを連動させて両側に離れて移動させ、掛け心地のいい場所まで調節した後制御ブロック１８を放し、引き線２６は次第にきつく張るが、引掛りブロック４２のスライドを連動させないのであり、
長さを調節する時、制御ブロック１８を上に引いて回転軸１７と連結ロッド２４によって引き動かしブロック２５を引き動かして上の極限位置まで移動させ、充分に引き線をきつく引いて引掛りブロック４２を連動させて引掛り溝４０から滑り出させ、手動で調節ロッド３８を前後に移動して調節ロッド３８の後端の長さを調節し、制御ブロック１８を放し、この時引掛りブロック４２が対応の位置の引掛り溝４０の中に引っかかって調節ロッド３８を固定し、メガネをかける快適度を改善する。
【００１６】
本発明の有益効果は：本発明は構造が簡単で、操作が便利で、本装置によってメガネの幅とテンプルの長さを調節して異なった顔型に対応でき、使用者に使用初期でも良いかけ心地を与える。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020173412.tif 000003
【図２】
2020173412.tif 000004
【図３】
2020173412.tif 000005
【図４】
2020173412.tif 000006
【図５】
2020173412.tif 000007
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
メガネフレームを含み、前記メガネフレームの中にはレンズが左右対称に固定的に設置され、前記メガネフレームの中間には制御装置が設置され、前記メガネフレームの左右両側には幅調節装置が対称的に設置され、前記幅調節装置のうち対称中心から離れた側には長さ調節装置が設置され、前記制御装置によって前記幅調節装置又は前記長さ調節装置を制御でき、前記幅調節装置によってテンプルの間の距離を調節して様々な顔型に対応でき、前記長さ調節装置によって前記テンプルの長さを調節して掛ける快適度を上げられ、前記制御装置は前記メガネフレームの中に設置された上方に開口した昇降チャンバを含み、前記昇降チャンバの中には昇降ブロックがスライド可能に設置され、前記昇降ブロックの下端と前記昇降チャンバの下壁との間には復帰ばねが固定的に連結され、前記昇降ブロックの中には回転軸が上下貫通に回転可能に設置され、前記回転軸の上端が外部に伸びて制御ブロックと固定的に連結され、前記昇降チャンバの下側には第一調節チャンバが設置され、前記第一調節チャンバの中にはネジ山ロッドが回転可能に設置され、前記第一調節チャンバの中には前記ねじ山ロッドにねじ山により連結されたねじ山ブロックがスライド可能に設置され、前記ねじ山ロッドの中には前記回転軸の下端とスプラインにより連結されたスプライン穴が上下貫通に設置され、前記第一調節チャンバの下側には引き動かしチャンバが設置され、前記回転軸の下端には前記スプライン穴を通り抜けて前記引き動かしチャンバの中に伸びた連結ロッドが固定的に連結され、前記連結ロッドの下端には前記引き動かしチャンバの内壁にスライド可能に連結された引き動かしブロックが回転可能に連結され、前記引き動かしブロックの上端と前記引き動かしチャンバの上壁とには圧縮バネが固定的に連結され、前記引き動かしブロックの下端には引き線が左右対称に固定的に連結され、前記引き動かしチャンバの下壁には第一線通し穴が左右対称に連通するように設置され、前記制御ブロックを下に押して回すことで前記幅調節装置を調節でき、前記制御ブロックを上に引くことで前記長さ調節装置を調節でき、
前記幅調節装置は前記第一調節チャンバの左右両側に対称的に連通するように設置された伝動チャンバを含み、前記ねじ山ブロックの左右両端にはそれぞれヒンジロッドがヒンジで連結され、両側の前記ヒンジロッドのうち対称中心から離れた一端には前記伝動チャンバの下壁とスライド可能に連結された押し引きブロックがヒンジで連結され、前記押し引きブロックのうち対称中心から離れた一端には押し引きロッドが固定的に連結され、両側の前記押し引きロッドのうち対称中心から離れた端はそれぞれ前記メガネフレームの左右両側から伸び出て固定板と固定的に連結され、且つ前記押し引きロッドと前記メガネフレームとはスライド可能に連結され、前記メガネフレームの左右端面の下端には後合わせに開口した伸縮チャンバが設置され、前記第一線通し穴の一端は前記伸縮チャンバに連通しており、前記伸縮チャンバの中には前記固定板に固定的に連結された伸縮ロッドがスライド可能に設置され、前記伸縮ロッドと前記固定板との中には第二線通し穴が連通するように設置され、前記固定板の間の距離を調節することで前記テンプルの間の距離を調節でき、
前記長さ調節装置は前記固定板のうち中心から離れた一端に固定的に設置された固定ブロックを含み、前記固定ブロックの中には第二調節チャンバが前後貫通に設置され、前記第二調節チャンバの中には調節ロッドがスライド可能に設置され、前記テンプルが前記調節ロッドの後端に回転可能に連結され、前記調節ロッドの前端には位置制限ブロックが固定的に連結され、前記調節ロッドのうち中心に近接した側の内壁の中には引掛り溝が設置され、前記第二調節チャンバのうち中心に近接した側には引掛りブロックチャンバが連通するように設置され、前記引掛りブロックチャンバの中には引掛りブロックがスライド可能に設置され、前記引掛りブロックのうち中心に近接した一端と、前記引掛りブロックチャンバの内壁との間には耐圧ばねが固定的に連結され、前記第二線通し穴の上端が前記引掛りブロックチャンバに連通しており、前記引き線が前記引掛りブロックのうち中心に近接した一端に固定的に連結され、前記引掛りブロックが異なった場所の前記引掛り溝の中に引っ掛ることで前記調節ロッドの後端の伸びた長さを調節して固定することができることを特徴とするテンプル調節可能なメガネ。
【手続補正２】
【補正対象書類名】明細書
【補正対象項目名】全文
【補正方法】変更
【補正の内容】
【発明の詳細な説明】
【技術分野】
【０００１】
本発明はメガネ技術分野に関し、具体的にはテンプル調節可能なメガネである。
【背景技術】
【０００２】
人々は近眼になると眼鏡屋にメガネを作ってもらうのであり、しかし、フレームを選ぶ時、サイズや掛け心地等により好む様式を諦めざるを得なく、顧客体験に悪影響を与えてしまい、また、顔型の大きい人にとって初めてメガネを掛ける時、テンプルが顔に食い込んで痛かったり、テンプルが長すぎ又は短すぎるとメガネの固定効果が悪く、落ちやすかったりすることがよくあり、そのため、テンプル調節可能なメガネは実に必要であり、本装置はメガネの幅と長さとを調節でき、掛心地を改善する。
【先行技術文献】
【特許文献】
【０００３】
【特許文献１】中国特許出願公開第１０７０３７６０３号明細書
【発明の概要】
【発明が解決しようとする課題】
【０００４】
本発明の目的はテンプル調節可能なメガネを提供し、既存の技術にある上記の欠陥を補うことにある。
【課題を解決するための手段】
【０００５】
本発明のテンプル調節可能なメガネは、メガネフレームを含み、前記メガネフレームの中にはレンズが左右対称に固定的に設置され、前記メガネフレームの中間には制御装置が設置され、前記メガネフレームの左右両側には幅調節装置が対称的に設置され、前記幅調節装置のうち対称中心から離れた側には長さ調節装置が設置され、前記制御装置によって前記幅調節装置又は前記長さ調節装置を制御でき、前記幅調節装置によってテンプルの間の距離を調節して様々な顔型に対応でき、前記長さ調節装置によって前記テンプルの長さを調節して掛ける快適度を上げられ、前記制御装置は前記メガネフレームの中に設置された上方に開口した昇降チャンバを含み、前記昇降チャンバの中には昇降ブロックがスライド可能に設置され、前記昇降ブロックの下端と前記昇降チャンバの下壁との間には復帰ばねが固定的に連結され、前記昇降ブロックの中には回転軸が上下貫通に回転可能に設置され、前記回転軸の上端が外部に伸びて制御ブロックと固定的に連結され、前記昇降チャンバの下側には第一調節チャンバが設置され、前記第一調節チャンバの中にはネジ山ロッドが回転可能に設置され、前記第一調節チャンバの中には前記ねじ山ロッドにねじ山により連結されたねじ山ブロックがスライド可能に設置され、前記ねじ山ロッドの中には前記回転軸の下端とスプラインにより連結されたスプライン穴が上下貫通に設置され、前記第一調節チャンバの下側には引き動かしチャンバが設置され、前記回転軸の下端には前記スプライン穴を通り抜けて前記引き動かしチャンバの中に伸びた連結ロッドが固定的に連結され、前記連結ロッドの下端には前記引き動かしチャンバの内壁にスライド可能に連結された引き動かしブロックが回転可能に連結され、前記引き動かしブロックの上端と前記引き動かしチャンバの上壁とには圧縮バネが固定的に連結され、前記引き動かしブロックの下端には引き線が左右対称に固定的に連結され、前記引き動かしチャンバの下壁には第一線通し穴が左右対称に連通するように設置され、前記制御ブロックを下に押して回すことで前記幅調節装置を調節でき、前記制御ブロックを上に引くことで前記長さ調節装置を調節できる。
【０００６】
更の技術プランとして、前記幅調節装置は前記第一調節チャンバの左右両側に対称的に連通するように設置された伝動チャンバを含み、前記ねじ山ブロックの左右両端にはそれぞれヒンジロッドがヒンジで連結され、両側の前記ヒンジロッドのうち対称中心から離れた一端には前記伝動チャンバの下壁とスライド可能に連結された押し引きブロックがヒンジで連結され、前記押し引きブロックのうち対称中心から離れた一端には押し引きロッドが固定的に連結され、両側の前記押し引きロッドのうち対称中心から離れた端はそれぞれ前記メガネフレームの左右両側から伸び出て固定板と固定的に連結され、且つ前記押し引きロッドと前記メガネフレームとはスライド可能に連結され、前記メガネフレームの左右端面の下端には後合わせに開口した伸縮チャンバが設置され、前記第一線通し穴の一端は前記伸縮チャンバに連通しており、前記伸縮チャンバの中には前記固定板に固定的に連結された伸縮ロッドがスライド可能に設置され、前記伸縮ロッドと前記固定板との中には第二線通し穴が連通するように設置され、前記固定板の間の距離を調節することで前記テンプルの間の距離を調節できる。
【０００７】
優先的には、前記長さ調節装置は前記固定板のうち中心から離れた一端に固定的に設置された固定ブロックを含み、前記固定ブロックの中には第二調節チャンバが前後貫通に設置され、前記第二調節チャンバの中には調節ロッドがスライド可能に設置され、前記テンプルが前記調節ロッドの後端に回転可能に連結され、前記調節ロッドの前端には位置制限ブロックが固定的に連結され、前記調節ロッドのうち中心に近接した側の内壁の中には引掛り溝が設置され、前記第二調節チャンバのうち中心に近接した側には引掛りブロックチャンバが連通するように設置され、前記引掛りブロックチャンバの中には引掛りブロックがスライド可能に設置され、前記引掛りブロックのうち中心に近接した一端と、前記引掛りブロックチャンバの内壁との間には耐圧ばねが固定的に連結され、前記第二線通し穴の上端が前記引掛りブロックチャンバに連通しており、前記引き線が前記引掛りブロックのうち中心に近接した一端に固定的に連結され、前記引掛りブロックが異なった場所の前記引掛り溝の中に引っ掛ることで前記調節ロッドの後端の伸びた長さを調節して固定することができる。
【発明の効果】
【０００８】
本発明の有益効果は：本発明は構造が簡単で、操作が便利で、本装置によってメガネの幅とテンプルの長さを調節して異なった顔型に対応でき、使用者に使用初期でも良いかけ心地を与える。
【図面の簡単な説明】
【０００９】
【図１】図１は本発明のテンプル調節可能なメガネの内部全体構造略図
【図２】図２は図１におけるＡの拡大略図
【図３】図３は図１におけるＢの拡大略図
【図４】図４は図１におけるＣの拡大略図
【図５】図５は図４におけるＤ―Ｄ方向の構造略図
【発明を実施するための形態】
【００１０】
下記に図１〜５をあわせて本発明について詳しく説明し、便利に説明するために、下記の方向を以下のように規定する：以下に述べる上下左右前後の方向と図１の自身投影関係の上下左右前後の方向とが一致である。
【００１１】
図１〜５を参照し、本発明の実施例におけるテンプル調節可能なメガネは、メガネフレーム１１を含み、前記メガネフレーム１１の中にはレンズ１２が左右対称に固定的に設置され、前記メガネフレーム１１の中間には制御装置１０１が設置され、前記メガネフレーム１１の左右両側には幅調節装置１０２が対称的に設置され、前記幅調節装置１０２のうち対称中心から離れた側には長さ調節装置１０３が設置され、前記制御装置１０１によって前記幅調節装置１０２又は前記長さ調節装置１０３を制御でき、前記幅調節装置１０２によってテンプル１３の間の距離を調節して様々な顔型に対応でき、前記長さ調節装置１０３によって前記テンプル１３の長さを調節して掛ける快適度を上げられ、前記制御装置１０１は前記メガネフレーム１１の中に設置された上方に開口した昇降チャンバ１４を含み、前記昇降チャンバ１４の中には昇降ブロック１５がスライド可能に設置され、前記昇降ブロック１５の下端と前記昇降チャンバ１４の下壁との間には復帰ばね１６が固定的に連結され、前記昇降ブロック１５の中には回転軸１７が上下貫通に回転可能に設置され、前記回転軸１７の上端が外部に伸びて制御ブロック１８と固定的に連結され、前記昇降チャンバ１４の下側には第一調節チャンバ１９が設置され、前記第一調節チャンバ１９の中にはネジ山ロッド２０が回転可能に設置され、前記第一調節チャンバ１９の中には前記ねじ山ロッド２０にねじ山により連結されたねじ山ブロック２１がスライド可能に設置され、前記ねじ山ロッド２０の中には前記回転軸１７の下端とスプラインにより連結されたスプライン穴２２が上下貫通に設置され、前記第一調節チャンバ１９の下側には引き動かしチャンバ２３が設置され、前記回転軸１７の下端には前記スプライン穴２２を通り抜けて前記引き動かしチャンバ２３の中に伸びた連結ロッド２４が固定的に連結され、前記連結ロッド２４の下端には前記引き動かしチャンバ２３の内壁にスライド可能に連結された引き動かしブロック２５が回転可能に連結され、前記引き動かしブロック２５の上端と前記引き動かしチャンバ２３の上壁とには圧縮バネ５０が固定的に連結され、前記引き動かしブロック２５の下端には引き線２６が左右対称に固定的に連結され、前記引き動かしチャンバ２３の下壁には第一線通し穴２７が左右対称に連通するように設置され、
前記制御ブロック１８を下に押して回すことで前記幅調節装置１０２を調節でき、前記制御ブロック１８を上に引くことで前記長さ調節装置１０３を調節できる。
【００１２】
有益的には、前記幅調節装置１０２は前記第一調節チャンバ１９の左右両側に対称的に連通するように設置された伝動チャンバ２８を含み、前記ねじ山ブロック２１の左右両端にはそれぞれヒンジロッド２９がヒンジで連結され、両側の前記ヒンジロッド２９のうち対称中心から離れた一端には前記伝動チャンバ２８の下壁とスライド可能に連結された押し引きブロック３０がヒンジで連結され、前記押し引きブロック３０のうち対称中心から離れた一端には押し引きロッド３１が固定的に連結され、両側の前記押し引きロッド３１のうち対称中心から離れた端はそれぞれ前記メガネフレーム１１の左右両側から伸び出て固定板３２と固定的に連結され、且つ前記押し引きロッド３１と前記メガネフレーム１１とはスライド可能に連結され、前記メガネフレーム１１の左右端面の下端には後合わせに開口した伸縮チャンバ３３が設置され、前記第一線通し穴２７の一端は前記伸縮チャンバ３３に連通しており、前記伸縮チャンバ３３の中には前記固定板３２に固定的に連結された伸縮ロッド３４がスライド可能に設置され、前記伸縮ロッド３４と前記固定板３２との中には第二線通し穴３５が連通するように設置され、前記固定板３２の間の距離を調節することで前記テンプル１３の間の距離を調節できる。
【００１３】
有益的には、前記長さ調節装置１０３は前記固定板３２のうち中心から離れた一端に固定的に設置された固定ブロック３６を含み、前記固定ブロック３６の中には第二調節チャンバ３７が前後貫通に設置され、前記第二調節チャンバ３７の中には調節ロッド３８がスライド可能に設置され、前記テンプル１３が前記調節ロッド３８の後端に回転可能に連結され、前記調節ロッド３８の前端には位置制限ブロック３９が固定的に連結され、前記調節ロッド３８のうち中心に近接した側の内壁の中には引掛り溝４０が設置され、前記第二調節チャンバ３７のうち中心に近接した側には引掛りブロックチャンバ４１が連通するように設置され、前記引掛りブロックチャンバ４１の中には引掛りブロック４２がスライド可能に設置され、前記引掛りブロック４２のうち中心に近接した一端と、前記引掛りブロックチャンバ４１の内壁との間には耐圧ばね４３が固定的に連結され、前記第二線通し穴３５の上端が前記引掛りブロックチャンバ４１に連通しており、前記引き線２６が前記引掛りブロック４２のうち中心に近接した一端に固定的に連結され、前記引掛りブロック４２が異なった場所の前記引掛り溝４０の中に引っ掛ることで前記調節ロッド３８の後端の伸びた長さを調節して固定することができる。
【００１４】
初期状態の時、昇降ブロック１５が中間位置に位置しており、ねじ山ブロック２１が上の極限位置に位置しており、引き線２６が緩んだ状態にある。
【００１５】
幅を調節する時、制御ブロック１８を下に押して回転軸１７とねじ山ロッド２０とをスプラインにより連結させ、制御ブロック１８を回して回転軸１７によってねじ山ロッド２０を回転連動させ、ねじ山による連結によってねじ山ブロック２１を下降連動させ、ヒンジロッド２９によって押し引きブロック３０を中心から離れた方向に移動連動させ、押し引きロッド３１によって固定板３２を連動させて両側に離れて開かせ、更に固定ブロック３６と、調節ロッド３８と、テンプル１３とを連動させて両側に離れて移動させ、掛け心地のいい場所まで調節した後制御ブロック１８を放し、引き線２６は次第にきつく張るが、引掛りブロック４２のスライドを連動させないのであり、
長さを調節する時、制御ブロック１８を上に引いて回転軸１７と連結ロッド２４によって引き動かしブロック２５を引き動かして上の極限位置まで移動させ、充分に引き線をきつく引いて引掛りブロック４２を連動させて引掛り溝４０から滑り出させ、手動で調節ロッド３８を前後に移動して調節ロッド３８の後端の長さを調節し、制御ブロック１８を放し、この時引掛りブロック４２が対応の位置の引掛り溝４０の中に引っかかって調節ロッド３８を固定し、メガネをかける快適度を改善する。
【００１６】
本発明の有益効果は：本発明は構造が簡単で、操作が便利で、本装置によってメガネの幅とテンプルの長さを調節して異なった顔型に対応でき、使用者に使用初期でも良いかけ心地を与える。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。